(57)【要約】  【課題】  すべり支承型の免震支承手段の利点を生かして、基礎工事費を比較的安価に抑制できる建物の免震構造を提供する。  【解決手段】  本発明の建物の免震構造は、建物１を基礎構造１０上に分散配置された複数の免震支承手段２０、３０を介して支えるものである。復元支承２０は、建物１の四隅に設けられた基礎杭１１ａの杭頭に配置され、回転機構付きすべり支承３０は、建物１の中央部（四隅の間の部分）に設けられた基礎杭１１ｂの杭頭に配置される。全免震支承手段２０、３０は、ほぼグラウンドレベル（ＧＬ）に設けられている。短手方向に隣接する四隅の基礎杭１１ａ間と、四隅の基礎杭１１ａとその長手方向に隣接する基礎杭１１ｂ間は、地中梁１３Ａ、１３Ｂで連結されている。  【選択図】  図１
2006125183.tif 000002
【特許請求の範囲】
【請求項１】
基礎上に分散配置された複数の免震支承手段を介して建物を支える免震構造であって、
前記複数の免震支承手段は、復元力を有する復元支承手段、及び、復元力を有しない回転機構付きすべり支承手段の二種類を含み、
隣り合う前記支承手段が復元支承手段である部位では、両支承手段の間の基礎の部分に地中梁が設けられており、
隣り合う前記支承手段がすべり支承手段である部位では、両支承手段の間の基礎の部分に地中梁が設けられておらず、
隣り合う前記支承手段が復元支承手段とすべり支承手段である部位では、両支承手段の間の基礎の部分に、前記復元支承手段の下の基礎から前記すべり支承手段の下の基礎の部分に向って梁背（梁の高さ）が低くなる地中梁が設けられていることを特徴とする建物の免震構造。
【請求項２】
前記建物が平面図で略長方形であり、
該建物の四隅、及び、短手方向の辺の中央部には、前記復元支承手段が配置されており、
該建物の長手方向の辺の中央部には、前記すべり支承手段が配置されていることを特徴とする請求項１記載の建物の免震構造。
【請求項３】
隣り合う前記すべり支承手段間の地中梁が設けられていない基礎の部分の表面が土間コンクリートであり、
前記地中梁の少なくとも一部分が、前記土間コンクリートと実質的に同じ厚さであるが、内部の鉄筋の量・構造が強化されていることを特徴とする請求項１〜３いずれか１項記載の建物の免震構造。
【請求項４】
基礎上に分散配置された複数の免震支承手段を介して建物を支える免震構造であって、
該建物の隅の部分に配置された免震支承手段が復元力を有する復元支承手段であり、
該建物の中央の部分に配置された免震支承手段が復元力を有しない回転機構付きすべり支承手段であり、
建物の四隅の部分の基礎を横方向負荷に耐える剛性を有するものとし、中央の部分の基礎は低剛性としたことを特徴とする建物の免震構造。
【請求項５】
前記隅部の復元支承手段が、基礎杭と連結された基礎フーチング又は地中梁上に配置されており、
前記中央部のすべり支承手段が、基礎杭の杭頭に配置されており、
中央部分の大多数の基礎杭の間は低剛性基礎とされていることを特徴とする請求項１記載の建物の免震構造。
【請求項６】
前記建物の長辺の中央部においては、最下段の床に、地震時の水平力により建物に生じる曲げモーメントを受ける比較的高い剛性を有する梁が設けられていることを特徴とする請求項２〜５いずれか１項記載の建物の免震構造。
【請求項７】
前記各免震支承手段がほぼグラウンドレベルに配置されていることを特徴とする請求項１〜６いずれか１項記載の建物の免震構造。
【請求項８】
前記建物の最下段の床を比較的高い高さとして、該最下段の床とグラウンドレベルとの間のスペースを利用可能とし、
該最下段の床構造のある一方向に延びる主な梁は、該床から下方に張り出したものであり、他の方向に延びる主な梁は、該床から上方に張り出したもの（逆梁）であることを特徴とする請求項１〜７いずれか１項記載の建物の免震構造。
【請求項９】
前記建物の最下段の床の高さがグラウンドレベルから１４００ｍｍ程度以下であることを特徴とする請求項１〜８いずれか１項記載の建物の免震構造。
【請求項１０】
基礎上に分散配置された複数の免震支承手段を介して建物を支える免震構造であって、
前記各免震支承手段がほぼグラウンドレベルに配置されており、
前記建物の最下段の床構造のある一方向に延びる主な梁は、該床から下方に張り出したものであり、他の方向に延びる主な梁は、該床から上方に張り出したもの（逆梁）であることを特徴とする建物の免震構造。
【請求項１１】
基礎上に分散配置された複数の免震支承手段を介して建物を支える免震構造であって、
前記各免震支承手段がほぼグラウンドレベルに配置されており、
前記建物の最下段の床に床下空間を設け、
前記建物の最下段の床の高さが１４００ｍｍ程度であり、
前記床下空間をメンテナンススペースとして該空間への出入り口を設けたことを特徴とする建物の免震構造。
【請求項１２】
基礎上に分散配置された複数の免震支承手段を介して建物を支える免震構造であって、
前記各免震支承手段がほぼグラウンドレベルに配置されており、
前記建物の最下段の床の一段下に別の床面を形成し、該別の床面がグラウンドレベル上にあることを特徴とする建物の免震構造。
【発明の詳細な説明】
【技術分野】
【０００１】
本発明は、マンションやオフィスビル等の建物の免震構造に関する。特には、基礎工事費を比較的安価に抑制できる建物の免震構造に関する。また、免震装置のメンテナンス性や建物内の空間の利用度を向上させ得る建物の免震構造に関する。
【背景技術】
【０００２】
地盤等の基礎と建物の構造物との間に免震支承手段を備えた建物の免震構造としては、従来より、様々な構造やシステムが数多く出願されている（例えば、特許文献１、特許文献２、特許文献３）。使用されている免震支承手段としては、復元力を有する積層ゴム型や、スライド・揺動式（回転式）のすべり支承型などがある。
【０００３】
積層ゴム型の免震支承手段は、地震の際に建物と基礎との間に水平方向の力（水平力）が加わると該方向に変形し、この力が解除されると元の形に戻る性質を有する。このタイプの免震支承手段は、杭頭に水平力が作用するため、隣接する基礎杭の杭頭を接続する地中梁（あるいは、相当の剛性を有する連結構造）が必要になる。このような地中梁は、杭頭に基礎フーチングを設けて、この基礎フーチング間に掛け渡される。
【０００４】
一方、回転式（回転機構付き）のすべり支承型の免震支承手段としては、ピン支持すべり機構を有するものが開示されている（例えば、特許文献４等参照）。同機構は、上下の接合部材と、両接合部材を接続するピン接合部を有する。そして、上接合部材の上面にすべり板を配置し、構造物の底面に、このすべり板に接触するすべり板を取り付けている。
この免震手段は、基礎杭が傾斜しても上接合体のすべり板と構造物のすべり板との接触面がほぼ水平に維持されるため、構造物が水平姿勢を保ったまま移動する。このため、基礎杭と建物間には原則的には水平力はかからず、杭頭にかかる負担は小さいので、基礎杭の杭頭を連結する地中梁が不要となる。
さらに、積層ゴム型の免震支承手段に比べて、厚さ（高さ）が薄いという利点もある。
【０００５】
特許文献１では、免震支承手段として、すべり支承と復元ゴム（積層ゴム）との組み合わせを提案している。具体的には、建物の基礎部の四隅と出入り口部の下部にすべり支承型の免震支承手段を設置し、基礎部の四隅の内の少なくとも２ヶ所に復元ゴム型の免震支承手段を設置するものとしている。そして、復元ゴムの材料特性を特定して、免震性能の安定性を図っている。
【０００６】
特許文献２は、地盤に打ち込まれた柱と、建物の構造物の骨格をなす柱との間に、免震シューを介した構造が開示されている。免震シューとしては、横方向へのずれ変形が可能な構成を有する、弾性ゴム体とスチールプレートの積層一体化構造物（積層ゴム型）等が使用されている。また、特許文献３では、鉄骨柱の下端部と、地面に打ち込まれた鋼管杭の上部に打設された基礎との間に、免震装置が介された構造が開示されている。免震装置としては、積層ゴム型やすべり支承型の免震支承手段が使用されている。
ただし、これらの文献２、３においては、一つの建物において同じ種類の免震支承手段を配置しているものである。また、建物の基礎上に、どのように免震手段を配置するかについては言及されていない。
【０００７】
ところで、積層ゴム型の免震支承手段には、以下のような問題点がある。
積層ゴム型の場合、上述のように、隣接する杭頭を繋ぐ地中梁が必要になる。このような地中梁を設けるには、一般的には地盤を深く掘削する必要があり、掘削工事にコストと時間を要してしまう。さらに、免震支承手段の厚さが比較的厚い（高さが高い）ため、基礎杭の杭頭に免震支承手段を設けて、建物の１階をほぼグラウンドレベルに位置させるためには、免震支承手段の分だけ掘削深さを深くする必要がある。一方、免震支承手段をグラウンドレベルに位置させると掘削深さは比較的浅くなるが、１階の高さが、免震支承手段の厚さと床構造の厚さの分だけ高くなってしまう。この高さは、一例でグラウンドレベルから最低２０００ｍｍ程度となってしまい、建物の利用上支障が生じる。
【０００８】
一方、回転機構付きすべり支承型の場合は、杭頭を連結する地中梁を設ける必要がないので、施工工事を簡略化できる。
【０００９】
【特許文献１】特開２００３−３０１６２５号公報
【特許文献２】特開平６−１３６９９０号公報
【特許文献３】特開平９−２５６６６７号公報
【特許文献４】特開２００４−４４３１２号公報
【発明の開示】
【発明が解決しようとする課題】
【００１０】
本発明は、このような回転機構付きすべり支承型の免震支承手段の利点を生かして、基礎工事費を比較的安価に抑制できる建物の免震構造を提供することを目的とする。また、免震装置のメンテナンス性や建物内の空間の利用度を向上させ得る建物の免震構造を提供することを目的とする。
【課題を解決するための手段】
【００１１】
本発明の建物の免震構造は、  基礎上に分散配置された複数の免震支承手段を介して建物を支える免震構造であって、  該建物の隅の部分に配置された免震支承手段が復元力を有する復元支承手段であり、  該建物の中央の部分に配置された免震支承手段が復元力を有しない回転機構付きすべり支承手段であり、  建物の四隅の部分の基礎を横方向負荷に耐える剛性を有するものとし、中央の部分の基礎は低剛性としたことを特徴とする。
【００１２】
このような構造とすることにより、地震時には、建物の隅の基礎には水平方向の力及び曲げモーメント（両者を合わせて横方向負荷という）がかかるが、建物の中央の基礎には横方向負荷がほとんどかからない。なお、中央の複数の基礎杭には土間コンクリート等を介して、地震時に各基礎杭を同一変位させるために必要な水平方向の力はかかるが、この力は、建物を水平方向に揺らすために建物の隅の基礎と建物との間にかかる力よりははるかに小さい。
【００１３】
したがって、建物の四隅の部分の基礎を、横方向負荷に耐える剛性を有するものとすればよく、中央の部分の基礎は低剛性であってよい。したがって、基礎フーチングや杭頭を繋ぐ地中梁を建物の隅の周辺部にだけ設ければよい。これにより、地中梁と基礎フーチング設置のための地盤掘削量や掘削作業時間を減らすことができ、基礎構造の施工工事費や材料費を削減できる。
【００１４】
本発明においては、  前記隅部の復元支承手段が、基礎杭と連結された基礎フーチング又は地中梁上に配置されており、  前記中央部のすべり支承手段が、基礎杭の杭頭に配置されており、  中央部分の大多数の基礎杭の間は低剛性基礎とされていることとできる。
【００１５】
低剛性基礎は、剛性基礎に比べて施工工事を簡略化できる。このため、大多数の基礎杭の間を低剛性基礎とすることにより、全体の施工工事のコストダウンが可能になる。低剛性基礎としては、例えば、厚さが２００ｍｍ程度の土間スラブなどを用いることができる。
なお、基礎フーチングと地中梁とが明確に区別されず、基礎フーチングと地中梁が一体となって基礎杭間に延びているような場合もあり得る。
【００１６】
本発明の具体的な態様としては、  前記建物が平面図で略長方形であり、  前記建物の基礎が、該建物の四隅及び隅間の何点かに基礎杭を打ったものであり、  該建物の四隅に前記復元支承手段が配置されており、  該建物の長手方向の隅と隅の間（中央部）には、ある間隔で前記すべり支承手段が配置されており、  該建物の短手方向の辺（短辺）においては地中梁が設けられており、  該建物の長手方向の辺（長辺）においては、隅の基礎杭とその長手方向に隣接する基礎杭の間に、隅の基礎杭からその隣の基礎杭に向って梁背（梁の高さ）が低くなる地中梁が設けられ、長辺の中央部においては隣り合う基礎杭の間を繋ぐ地中梁が設けられていないものとすることができる。
【００１７】
本発明においては、  前記隅部の復元支承手段、及び、前記中央部のすべり支承手段が、直接基礎である分散配置されたコンクリートの打設体の上に配置されており、  中央部分の大多数の打設体の間は低剛性基礎とされているものとすることができる。
地盤が堅固であれば、基礎杭の替わりに、直接基礎であるコンクリート打設体を配置してもよい。この場合、基礎杭を打つ必要がないので基礎を構成する作業を簡略化できる。
【００１８】
本発明の他の具体的態様としては、  前記建物が平面図で略長方形であり、  前記建物の基礎が、該建物の四隅及び隅間の何点かに直接基礎であるコンクリート打設体を打ったものであり、  該建物の四隅に前記復元支承手段が配置されており、  該建物の長手方向の隅と隅の間（中央部）には、ある間隔で前記すべり支承手段が配置されており、  隣り合う直接基礎の間を繋ぐ地中梁が設けられていないものとすることができる。
【００１９】
本発明においては、  前記建物の長辺の中央部においては、最下段の床に、地震時の水平力により建物に生じる曲げモーメントを受ける比較的高い剛性を有する梁が設けられていることが好ましい。
建物の長辺方向の中央部においては、基礎を低剛性基礎として建物と基礎との間に回転機構付き免震支承手段を設けるため、地震時には、建物の最下段の床の梁に横方向負荷がかかる。そこで、最下段の床に、通常の免震支承手段（例えば積層ゴム型の免震支承手段）を用いた場合の最下段の床の梁の剛性よりも高い剛性を有する梁を設けることにより、建物全体の剛性を確保することができる。この点については、図７を参照しつつ具体的に後述する。
【００２０】
本発明においては、  前記各免震支承手段がほぼグラウンドレベルに配置されていることが好ましい。
免震支承手段をほぼグラウンドレベルに配置するので、同手段を地中に埋設する必要がなく、地盤掘削量を低減できる。また、免震支承手段の点検や交換を比較的楽に行うことができる。
【００２１】
本発明においては、  前記建物の最下段の床を比較的高い高さとして、該最下段の床とグラウンドレベルとの間のスペースを利用可能とし、  該最下段の床構造のある一方向に延びる主な梁は、該床から下方に張り出したものであり、他の方向に延びる主な梁は、該床から上方に張り出したもの（逆梁）であることとできる。
【００２２】
免震支承手段をほぼグラウンドレベルとすると、建物の最下段の床の高さが、同手段の厚さと最下段梁の厚さを足した程度だけ高くなってしまう。そこで、この高さを所望の寸法として、最下段の床とグラウンドとの間を有効利用する。例えば、最下段の床の高さを１８００ｍｍ程度とすることにより、駐車場スペースとして利用できる。そして、日影規制により建物の高さが制限される地域においても、１階を駐車場スペースとして４階建ての建物とした場合でも、建物全体の高さを１０ｍ以下に抑えることもできる。
【００２３】
ただし、駐車場スペースとして利用する場合、最下段の梁が下方に張り出していると、同梁の部分では高さが１８００ｍｍからこの梁の高さを引いた高さとなり、車がぶつかってしまう。そこで、車の主な出し入れ方向に直交する方向（例えば、建物の短手方向）は最下段の梁を、床から上方に張り出す逆梁として、車の出入りを妨げないようにする。
【００２４】
本発明においては、  前記建物の最下段の床の高さがグラウンドレベルから１４００ｍｍ程度以下とできる。つまり、最下段の床の高さは、免震支承手段の高さと最下段の床構造の高さを足した程度の高さであるが、薄い免震支承手段を使用することにより、免震支承手段をほぼグラウンドレベルとした場合でも１階床の高さを低くできる。１階の高さが４００ｍｍ程度であれば、実用上差し支えない程度にスロープ等を用いてこの段差を解消することができる。また、地盤の掘削量も可能な限り少なくすることができる。
【００２５】
本発明の他の建物の免震構造は、  基礎上に分散配置された複数の免震支承手段を介して建物を支える免震構造であって、  前記各免震支承手段がほぼグラウンドレベルに配置されており、  前記建物の最下段の床構造のある一方向に延びる主な梁は、該床から下方に張り出したものであり、他の方向に延びる主な梁は、該床から上方に張り出したもの（逆梁）であることを特徴とする。
【００２６】
免震支承手段をグラウンドレベル上に配置すると、建物の１階床の高さが必然的に高くなる。そこで、この高さを所望の高さとして、１階床とグラウンドレベルとの間を駐車場あるいは物置きなどとして利用する。この際、車の出入り方向に直交する方向に延びる１階床の梁を逆梁とすることにより、梁が車の出入りを妨げない。
【００２７】
本発明の他の建物の免震構造は、  基礎上に分散配置された複数の免震支承手段を介して建物を支える免震構造であって、  前記各免震支承手段がほぼグラウンドレベルに配置されており、  前記建物の最下段の床に床下空間を設け、前記建物の最下段の床の高さが１４００ｍｍ程度であり、  前記床下空間をメンテナンススペースとして該空間への出入り口を設けることともできる。
【００２８】
本発明の他の建物の免震構造は、  基礎上に分散配置された複数の免震支承手段を介して建物を支える免震構造であって、  前記各免震支承手段がほぼグラウンドレベルに配置されており、  前記建物の最下段の床の一段下に別の床面を形成し、該別の床面がグラウンドレベル上にあることともできる。
【００２９】
本発明の建物は、１階床の高さが必然的に高くなるので、その高さを利用して床下空間を設けることができる。そして、この床下空間の床高さを、グラウンドレベル以上とすると、床下の風通しを妨げることがなく、建物の結露等を防止できる。
【００３０】
本発明の他の建物の免震構造は、  基礎上に分散配置された複数の免震支承手段を介して建物を支える免震構造であって、  前記複数の免震支承手段は、復元力を有する復元支承手段、及び、復元力を有しない回転機構付きすべり支承手段の二種類を含み、  隣り合う前記支承手段が復元支承手段である部位では、両支承手段の間の基礎の部分に地中梁が設けられており、  隣り合う前記支承手段がすべり支承手段である部位では、両支承手段の間の基礎の部分に地中梁が設けられておらず、  隣り合う前記支承手段が復元支承手段とすべり支承手段である部位では、両支承手段の間の基礎の部分に、前記復元支承手段の下の基礎から前記すべり支承手段の下の基礎の部分に向って梁背（梁の高さ）が低くなる地中梁が設けられていることを特徴とする。
【００３１】
このような構造とすることにより、地中梁を設置する箇所や地中梁を設置するための空間の容積をできるだけ少なくすることができる。
【００３２】
本発明においては、  前記建物が平面図で略長方形であり、  該建物の四隅、及び、短手方向の辺の中央部には、前記復元支承手段を配置し、  該建物の長手方向の辺の中央部には、前記すべり支承手段を配置することもできる。
【００３３】
建築物の規模が比較的大きく、四隅の復元支承手段だけでは所定の復元力を得られない場合は、短手方向の中央部にも復元支承手段を配置し、建物全体の免震機能の調整ができるものとする。
【００３４】
本発明においては、  隣り合う前記すべり支承手段間の地中梁が設けられていない基礎の部分の表面が土間コンクリートであり、  前記地中梁の少なくとも一部分が、前記土間コンクリートと実質的に同じ厚さであるが、内部の鉄筋の量・構造が強化されているものとすることも好ましい。
【００３５】
このような構造とすることにより、地中梁の梁背（背高）を極力低くしつつ復元支承手段にかかるモーメントを基礎で受け持つことができる。なお、土間コンクリートとは、下面が直接土に接しているコンクリートの床を言い（土間スラブとも言う）、その上で人が作業したり物を置いたりする標準的な負荷に耐える程度の強度を有する。地中梁の厚さを土間コンクリートと同程度とすることにより、地中梁を設置するための地盤掘削量を少なくすることができる。さらに、地中梁の一部分と土間コンクリートの厚さが等しいので、打設コンクリートの形状をほぼ平坦な単純な形状とすることができ、型枠工事などの手間も少なくなる。
【発明の効果】
【００３６】
以上の説明から明らかなように、本発明によれば、基礎工事費を比較的安価に抑制できる建物の免震構造を提供できる。さらには、免震装置のメンテナンス性や建物内の空間の利用度を向上させ得る建物の免震構造を提供できる。
【発明を実施するための形態】
【００３７】
以下、本発明の実施の形態について、図面を参照しながら詳細に説明する。
図１は、本発明の実施の形態に係る建物の免震構造を説明する図であり、図１（Ａ）は、免震手段の配置状態や基礎構造を示す平面図、図１（Ｂ）は、基礎構造及び建物の１階部分の断面図である。
図２は、免震支承手段である復元支承手段の構造の一例を説明する図である。
図３は、免震支承手段である回転機構付きすべり支承手段の構造の一例を説明する図である。
図１（Ａ）に示すように、建物の基礎構造１０は平面図で横長の略方形である。図１（Ｂ）に示すように、建物１は、免震支承手段２０、３０を介して基礎構造１０上に支持されている。また、基礎構造１０の周囲は、外周壁７０（図１（Ｂ）参照）で覆われている。
【００３８】
基礎構造１０は、建物１の四隅と四隅間の地面に打ち込まれた基礎杭１１を有する。この例では、建物１の隅の４ヶ所（符号１１ａ）と、建物１の、図１（Ａ）の上側に示す長手方向の隅間に等間隔毎に位置する３ヶ所（符号１１ｂ）と、図１（Ａ）の下側に示す長手方向の隅間に等間隔毎に位置する３ヶ所（符号１１ｂ）に、計１０本の基礎杭１１が打たれている。
【００３９】
免震支承手段は、基礎杭１１の杭頭と、建物１の構造物（主な柱）２の間に配置される。同手段は、復元力を有する復元支承２０と、復元力を有しない回転機構付きすべり支承３０を含む。
復元支承２０は、建物１の四隅に設けられた基礎杭１１ａの杭頭（基礎フーチング１２、詳細後述）に配置される。一方、回転機構付きすべり支承３０は、建物１の中央部（四隅の間の部分）に設けられた基礎杭１１ｂの杭頭に配置される。さらに、詳しくは後述するように、全免震支承手段２０、３０は、ほぼグラウンドレベル（ＧＬ）に設けられている。
【００４０】
建物の四隅の基礎杭１１ａには、杭頭に基礎フーチング１２が設けられている。基礎フーチング１２は、杭頭を補強するために同杭と一体化されたコンクリートの塊である。基礎フーチング１２は、地中に埋設されている。
【００４１】
そして、図１（Ａ）に示すように、四隅の基礎杭１１ａの内の、建物の短手方向に隣接する基礎杭１１ａの基礎フーチング１２間は、剛性基礎梁である地中梁１３Ａで連結されている。また、四隅の基礎杭１１ａと、その長手方向に隣接する基礎杭１１ｂとの間も、剛性基礎梁である地中梁１３Ｂで連結されている。ただし、地中梁１３Ｂは、図１（Ｂ）に示すように、隅の基礎杭１１ａの基礎フーチング１２から、その隣の基礎杭１１ｂに向って、基礎杭１１ａ−１１ｂ間の途中まで横方向に延び、その後グラウンドレベルＧＬへ向けて徐々に上方に傾斜しつつ、梁背（梁の高さ）が低くなる形状を有する。
【００４２】
また、全ての基礎杭１１の杭頭は、地面上に敷設された土間スラブ１５で押えられて固定されている。この土間スラブ１５は、地震時に、杭頭への水平力を分散させ、杭頭を同一変位させるものである。図１（Ｂ）に示すように、土間スラブ１５は、建物の長手方向両端の基礎杭１１ａの部分では、地中を延びる地中梁１３Ｂに沿った一定の厚さ（一例で２００ｍｍ程度）で敷設されている。そして、建物中央部の基礎杭１１ｂの部分では、グラウンドレベルに沿った一定の厚さ（一例で２００ｍｍ程度）となっている。
【００４３】
建物の四隅の基礎杭１１ａには復元支承手段２０が設けられているので、地震時には杭頭には曲げ応力（モーメント）がかかる。このため、四隅の基礎杭１１ａには剛性を有する地中梁１３Ａ、１３Ｂが設けられている。一方、建物の中央の基礎杭１１ｂには、杭頭へ曲げ応力のかからない回転機構付きすべり支承手段３０が設けられているため、この曲げ応力を受けるための梁は設けられていない（低剛性基礎とされている）。
【００４４】
次に、免震支承手段の構造について説明する。
図２に示す復元支承２０は、水平方向の力が加わると該方向に変形し、この力が解除されると元の形に戻る性質を有する。同支承２０は、上下の取り付け板２１、２２と、それらの間に挟まれた、ゴム板等の弾性体２４とスチールプレート等の剛性体２５とを交互に積層した積層ゴム体２７からなる積層ゴム型のものが使用される。上取り付け板２１は、建物の柱２の下端に設けられた台座３の下面に固定され、下取り付け板２２は、基礎杭１１ａの杭頭に設けられた基礎フーチング１２の上端面に固定される。
なお、復元支承２０としては、図２に示すものの他、同様の性能を有するものであればどのようなものを用いてもよい。
【００４５】
一方、回転機構付きすべり支承３０としては、図３に示すような、ＢＳＬ杭頭免震工法（Basho-uti pile Slider）と呼ばれるものを使用できる。この回転機構付きすべり支承３０は、すべり受け材３１と、スライダー４１とからなる。すべり受け材３１は、建物の柱２の下端に設けられた台座３の下面に固定される。スライダー４１は、基礎杭１１ｂの上端面に固定される。
【００４６】
すべり受け材３１は、表面をフッ素コーティングしたステンレス鋼板等で作製されたすべり板３２を有する。すべり板３２は、裏板３３を介して台座３の下面にアンカーボルト３４で固定されている。
【００４７】
スライダー４１は、基礎杭１１ｂの杭頭に埋め込まれて固定された凹部材４２と、同凹部材４２に嵌合する凸部材４３を有する。凸部材４３は、下方に突出する凸部４３ａを有し、上面に、フッ素コーティングしたステンレス鋼板等で作製されたすべり板４４が取り付けられている。通常状態において、このすべり板４４と、すべり受け材３１のすべり板３２は水平面で接触している。凹部材４２の上面には、凹部４２ａが形成されている。凸部材の凸部４３ａの先端中心は、凹部材の凹部４２ａの底部中心に点で接触している。また、凸部材の凸部４３ａの屈曲径は、凹部材の凹部４２ａの屈曲径よりも小さい。このため、凸部４３ａと凹部４２ａとの間にはクリアランスが形成される。同クリアランスには圧縮変形可能かつ復元可能な充填材４５が充填されている。
【００４８】
このような構造により、凸部材４３と凹部材４２は、ボールジョイントのような動きをし、凸部材４３は凹部材４２に対して、相対的に回転可能である。つまり、地震によって基礎杭１１ｂが傾斜すると、基礎杭１１ｂに設けられている凹部材４２は、凸部材４３に対して揺動回転する。このとき、凸部材の凸部４３ａと凹部材の凹部４２ａとの間のクリアランスが変化するが、その変位は充填材４５で吸収されて、凸部材４３には伝わらない。したがって、凸部材４３のすべり板４４と、建物の柱２に固定されているすべり受け材３１のすべり板３２の接触面は、通常の水平状態にほぼ保たれる。つまり、建物はほぼ水平状態に保たれることになる。
【００４９】
この回転機構付きすべり支承３０は、すべり受け材３１がスライダー４１に対して、水平方向へスライド可能、すなわち、柱２が基礎杭１１ｂに対して水平方向へスライド可能であるため、横方向負荷が杭頭に作用しないという利点がある。さらに、図から分かるように、厚さが積層ゴム型の復元支承２０に比べてかなり薄い（一例で、台座と基礎杭との間が１００ｍｍ程度）ことも利点である。
【００５０】
これらの免震支承手段２０、３０は、図１（Ｂ）に示すように、ほぼグラウンドレベルＧＬに配置されている。
比較的厚さの薄い回転機構付きすべり支承３０は、全体がグラウンドレベルＧＬ上に配置されている。つまり、これらの回転機構付きすべり支承３０が設けられる基礎杭１１ｂは、上端が土間スラブ１５（グラウンドレベルＧＬ）からやや上方に突出している。そして、その上端面に回転機構付きすべり支承３０が設置されている。
【００５１】
復元支承２０は回転機構付きすべり支承３０より厚さが厚いので、柱２の土台３の高さをあわせるために復元支承２０の上面と回転機構付きすべり支承３０の上面の高さを同じ水平面に合わせると、復元支承２０はほぼ半分が地中に埋設される。このため、復元支承２０が設置される基礎杭１１ａの基礎フーチング１２と、地中梁１３Ａ、１３Ｂは地中に埋設される。ただし、復元支承２０は全体が地中に埋設されているわけではないので、これらを埋設するための地盤掘削深さを比較的浅くできる。また、この例では、復元支承２０は４個であり、地中梁１３Ａ、１３Ｂは６本のみであるので、これらを埋設するための地盤掘削量や掘削工事時間を低減できる。
なお、建物の四隅の基礎杭１１ａの周辺においては、土間スラブ１５がグラウンドレベルＧＬからやや掘り下げられて、免震ピット６１が形成されている。
【００５２】
このように免震支承手段２０、３０をほぼグラウンドレベルＧＬに配置することにより、地盤の掘削工事が簡略化できる。さらに、このような配置により、前述のように、建物１の１階床の高さが高くなってしまうが、免震支承手段として厚さの薄い回転機構付きすべり支承３０を使用することにより、以下に詳しく示すように、１階床の高さ（１ＦＬ）をできるだけ低くすることができる。
【００５３】
１階床５は、建物１の長手方向及び短手方向に隣接する柱２の台座３間に掛け渡された梁７上に設けられる。梁７は、１階床５から下方に張り出す形状を有する。上述のように、全ての免震支承手段２０、３０はほぼグラウンドレベルＧＬにあるため、１階床５は、図に示すようにグラウンドレベルＧＬの上方に位置することになる。しかし、その高さは、回転機構付きすべり支承３０の厚さと１階梁７の厚さを足した高さ程度であり、前述のように、復元支承２０の厚さと１階梁７の厚さを足した高さ（一例で２０００ｍｍ）よりかなり低くできる。この例では、１階床５の高さ１ＦＬを、グラウンドレベルＧＬから１４００ｍｍの高さとすることができる。
【００５４】
なお、１階梁７は、通常の免震支承手段（例えば積層ゴム型）を使用した場合の１階梁の剛性よりも高い剛性を有する。この点について図７を参照して説明する。
図７は、地震時に作用するモーメントを説明するための図であり、図７（Ａ）は通常の免震支承手段（積層ゴム型）を使用した場合、図７（Ｂ）は回転機構付きすべり支承を使用した場合、図７（Ｃ）は両者のモーメント図である。
地震の際に、地面即ち基礎杭Ｐ側から建物ＳＴ側に揺れが伝わると、大質量の建物ＳＴは、慣性で元の位置に残る。すると、建物ＳＴと基礎杭Ｐとの間に偏心荷重が生じ、この間にモーメントがかかる。
【００５５】
図７（Ａ）に示すように、積層ゴム型免震支承手段Ｑ１を設けた場合、地震時には、同手段Ｑ１の上方の１階梁Ｂ１と下方の地中梁ＢＧにモーメントが分散してかかる。つまり、同手段Ｑ１の下方の地中梁ＢＧにモーメントＭ１がかかり、同手段Ｑ１の上方の１階梁Ｂ１にモーメントＭ２がかかる。モーメントＭ１とＭ２は、図７（Ｃ）の上側の図に示すように同方向に作用し、地震時にかかるモーメントのほぼ半分ずつの力である。
詳しく説明すると、地中階梁ＢＧにかかるモーメントＭ１は、Ｗ１（建物ＳＴから受け
る荷重）とＬ（変位、図７（Ｂ）の下側の図参照）の積の１／２と、Ｗ２（免震支承手段Ｑ１に生じる水平方向の力）とＨ２（地中梁ＢＧの断面芯から免震支承手段Ｑ１の断面芯までの高さ）の積の合計で表される。一方、１階梁Ｂ１にかかるモーメントＭ２は、Ｗ１（建物ＳＴから受ける荷重）とＬ（変位、図７（Ｂ）の下側の図参照）の積の１／２と、Ｗ２（免震支承手段Ｑ１にかかる水平方向の力）とＨ１（免震支承手段Ｑ１の断面芯から１階梁Ｂ１の断面芯までの高さ）の積の合計で表される。
【００５６】
一方、図７（Ｂ）の上側の図に示すように、回転機構付きすべり支承Ｑ２を設けた場合、地震時には、図７（Ｂ）の下側の図に示すように、同手段Ｑ２の下方の基礎杭Ｐにはモーメントがかからず、同手段Ｑ２の上方の１階梁Ｂ１にのみモーメントＭ３がかかる。ここで、モーメントＭ３は、図７（Ｃ）の下側の図に示すように、地震時にかかるモーメントの全体である。このモーメントＭ３は、Ｗ１（建物ＳＴから受ける荷重）とＬ（変位）の積と、Ｗ３（免震支承手段Ｑ２にかかる水平方向の力）とＨ（基礎杭Ｐ（スラブＳ）から１階梁Ｂ１の断面芯までの高さ）の積の合計となる。
したがって、この１階梁Ｂ１（図１の符号７）の剛性を、通常の免震支承手段（例えば積層ゴム型の免震支承手段）を用いる場合に比べて高くする（一例で断面係数２倍程度）ことにより、建物全体の剛性を確保することができる。
【００５７】
以上説明したように、建物１を、基礎構造１０上に免震支承手段２０、３０を介して支持するとともに、各基礎杭１１同士を、剛性基礎梁（地中梁）１３Ａ、１３Ｂもしくは低剛性基礎梁（土間スラブ）１５で連結することにより、地震時に以下のように作用する。
地震時には、建物の四隅の基礎杭１１ａにのみ、水平方向による曲げモーメントが杭頭にかかり、中央部の基礎杭１１ｂには、水平力による曲げモーメントが杭頭にかからないような構造となっている。例えば、全ての免震支承手段として、上述の回転機構付きすべり支承３０を使用した場合、同手段のみでは、建物１の横方向へのスライド動作を制限し、かつ、元の位置に復元させるような働きがない。そこで、建物１の四隅には、復元力を有する積層ゴムタイプの免震支承手段２０を配置することで、元位置への復元力を持たせるようにした。
【００５８】
さらには、免震支承手段２０、３０をほぼグラウンドレベルＧＬに設けたにもかかわらず、１階床５の高さを可能な限り低くする（１４００ｍｍ程度）ことができる。１階の高さが１４００ｍｍ程度であれば、実用上差し支えない程度にスロープ等を用いてこの段差を解消することができる。
【００５９】
次に、この免震構造を利用した建物の例を説明する。
図４〜図６は、本発明の免震構造を備えた建物の例を説明する図である。
図４に示す建物は、グラウンドレベルＧＬと１階の床との間の空間をメンテナンススペースとして利用している。
この建物においては、外周壁７０の適宜な位置にメンテナンススペースへの出入り口７１を設けて、点検者が簡単にメンテナンススペースへ出入りできるようにしている。この場合、各免震支承手段２０、３０はほぼグラウンドレベルＧＬにあるため、免震支承手段２０、３０の点検や交換を行いやすくなる。また、このメンテナンススペースに配管設備Ｐを集約しておけば、これらの配管設備Ｐの点検やメンテナンスを効率的に行うことができる。
【００６０】
図５に示す建物は、グラウンドレベルＧＬと１階の床との間の空間を住宅の床下空間として利用している。
この建物においては、１階床５の一段下に床面を形成して、この床面と１階床５との間の空間８０を床下空間とする。この床下空間８０は、例えば、居室や収納空間として利用できる。この場合、同空間８０の床面はグラウンドレベルＧＬの上方とできるため、建物全体の床下の風通し等を妨げることがない。
【００６１】
図６に示す建物は、グラウンドレベルＧＬと最下段の床との間の空間を駐車スペースとして利用している。
この建物においては、グラウンドレベルＧＬを１階、最下段の床５を２階とし、１階を駐車場として使用している。ここで、最下段の床５の高さを１８００ｍｍ程度とすることにより、１階での車の出し入れを容易にできる。さらには、日影規制により建物の高さが制限される地域において、１階を駐車場スペースとして、４階建ての建物としても、建物全体の高さを１０ｍ以下に抑えることができる。
【００６２】
さらに、最下段の床５を高くしているので、各免震支承手段２０、３０を全てグラウンドレベルＧＬ上に配置させることができる。このため、地盤を大きく掘削する必要のある部分は、四隅の基礎杭１１ａに設けられた基礎フーチング１２と、地中梁１３Ａ、１３Ｂ（図１参照）の部分のみでよくなる。
【００６３】
さらに、最下段（２階）の梁７を、車の出入り方向（この例では、建物の長手方向）においては、下方に張り出す梁７ａ、７ｂとし、同方向と直交する方向（この例では、建物の短手方向）には、上方に張り出す梁（逆梁）７Ａ、７Ｂとしている。つまり、最下段の床５の高さを１８００ｍｍ程度としても、下方に張り出す梁を設けると、この梁の分だけ１階の高さが低くなってしまい、車や人が梁にぶつかるというような事態が生じる。そこで、車や人が出入りする主な方向に直交する方向を逆梁７Ａ、７Ｂとすることにより、車をスムーズに出し入れできる。
【００６４】
図８は、本発明の他の実施の形態に係る建物の免震構造を説明する図である。
この例では、建物の基礎構造として、建物１の四隅と四隅間の地面に、図１等に示す基礎杭１１ではなく、直接基礎９０が打たれている。
【００６５】
この例では、直接基礎９０は、割栗石９３で固められ、捨てコンクリート９１（５０〜１００ｍｍ）上に打設された基礎フーチング１２により構成される。
建物が設置される地盤が堅固である場合は、基礎杭１１を地中深くまで打つ必要は無く、このような直接基礎を設ければよい。
【００６６】
図９は、本発明の他の実施の形態に係る建物の免震構造において、免震手段の配置状態や基礎構造の一部を示す平面図である。
図１０は、図９の建物の短辺を示す側面図である。
図１１は、図９の建物の短辺の杭頭の配筋図である。
図１２は、図９の建物中央部の短手方向の側面断面図である。
図１３は、図９の建物の長手方向中央部の杭頭の配筋図である。
図１４は、図９の建物の長手方向を示す側面図である。
図１５は、図１４の一部拡大図である。
【００６７】
この例においても、建物１０１（図１０、図１２、図１４参照）は、免震支承手段２０、３０を介して基礎構造１１０上に支持されている。ただし、この例では、各免震支承手段は、グラウンドレベルＧＬ以下の深さに設けられている。免震支承手段は、復元力を有する復元支承２０と、復元力を有しないすべり支承３０の二種類を含む。復元支承２０は、図１０に示すように建物１０１の四隅と、短辺の中央部（この例では２ヶ所）の基礎杭１１ａ上に配置されている。すべり支承３０は、図１２や図１４に示すように、建物１０１の長手方向の中央部の基礎杭１１ｂ上に配置されている。復元支承２０は、図２に示すような、積層ゴム型の復元支承を使用できる。また、すべり支承３０は、図３に示すような、ＢＳＬ杭頭免震工法と呼ばれるものを使用できる。
なお、図１の建物と同様の作用・構成を有する部位には、図１と同様の符号を付し、説明を省略する。
【００６８】
図１０に示すように、建物１０１の短辺（四隅を含む）においては、基礎杭１１ａの杭頭に基礎フーチング１２が設けられており、基礎フーチング１２の上面に復元支承２０が配置されている。基礎フーチング１２は、基礎杭１１ａの杭頭の周囲に、グラウンドレベルＧＬからの深さが２０００ｍｍ、一辺の長さが２８００ｍｍ、厚さ（高さ）が４００ｍｍの直方体状をしており、径１９ｍｍの鉄筋をＸ方向及びＹ方向に１５０ｍｍピッチで配筋し、コンクリート（Ｆｃ＝３０Ｎ／ｍｍ２）を打設したものである。なお、図１１に示すように、基礎フーチング１２上面の基礎杭１１ａの真上には、同面より一段高い復元支承設置面１２ａ（高さ１００ｍｍ）が形成されている。
【００６９】
短辺上の基礎フーチング１２間は、図１０に示すように、地中梁１３Ａで接続されている。地中梁１３Ａは、基礎フーチング１２間を、径１６ｍｍの鉄筋をＸ方向及びＹ方向に１５０ｍｍピッチで背筋し、コンクリート（Ｆｃ＝３０Ｎ／ｍｍ２）を打設したものである。地中梁１３Ａは、上面は基礎フーチング１２と同一面（グラウンドレベルＧＬからの深さ２０００ｍｍ）となっているが、厚さが２００ｍｍと薄くなっている。地中梁１３Ａと基礎フーチング１２の接続部では、地中梁１３Ａの下面が基礎フーチング１２の下面に向って下方に傾斜している。
【００７０】
図１１を参照して、建物の短辺の杭頭の部分をさらに説明する。
図１１に示すように、地中梁１３Ａ（図１０参照、図１５の地中梁１３Ｂも同様の構造を有する）を短手方向（Ｙ方向）に延びる上下の鉄筋（径１６ｍｍ）１３１、１３２は、各基礎フーチング１２を貫通している。このような構造とすることにより、厚さは比較的薄いながら、基礎フーチング１２から隣接する基礎フーチング１２へ、又は、基礎フーチング１２から基礎杭１１ａへの曲げモーメントなどの力をスムーズに伝達する機能を有する地中梁としての特性が地中梁１３Ａに与えられる。
さらに、基礎フーチング１２の復元支承設置面１２ａには、π字状の鉄筋（径１６ｍｍ）１３３が配筋されている。
【００７１】
図１２に示すように、建物中央部においては、基礎杭１１ｂの杭頭にすべり支承３０が直接配置されている。そして、基礎杭１１ｂの杭頭間には、土間コンクリート１５が打設されている。この例では、土間コンクリート１５は、グラウンドレベルＧＬから深さ１５００ｍｍから深さ１３００ｍｍまでの部分に、径が１３ｍｍの鉄筋をＸ方向およびＹ方向に２００ｍｍピッチで配筋し、コンクリート（Ｆｃ＝３０Ｎ／ｍｍ２）を打設したものである。
【００７２】
図１３を参照して、すべり支承が配置されている杭頭の部分をさらに説明する。
図に示すように、土間コンクリート１５のＹ方向に延びる鉄筋１４１、１４２は杭頭を貫通しておらず、杭頭に達する前で止まっている。なお、杭頭の中心回りに、鉄筋１４３（径１３ｍｍ、長さ７００ｍｍ）が２０°ピッチで放射状に配筋されている。これらの鉄筋１４３は、杭頭から土間コンクリート１５まで延びており、ひび割れ防止の機能を有する。土間コンクリート１５はこのような構造のため、杭頭部分に生じた曲げモーメントなどの力を伝達するという地中梁の特性は有していない。
【００７３】
図１４に示すように、建物１０１の長手方向の中央部においては、基礎杭１１ｂの杭頭にすべり支承３０が直接配置されている。これらの基礎杭１１ｂの杭頭は、図１２に示す建物中央部の短手方向と同様に、土間コンクリート１５が打設されている。この例では、土間コンクリート１５は、グラウンドレベルＧＬから深さ１５００ｍｍから深さ１３００ｍｍまでの部分に、径が１３ｍｍの鉄筋をＸ方向およびＹ方向に２００ｍｍピッチで配筋し、コンクリート（Ｆｃ＝３０Ｎ／ｍｍ２）を打設したものである。また、基礎杭１１ｂの杭頭は、図１３に示す配筋図と同じ構造を有する。
【００７４】
一方、長手方向の隅の部分では、基礎杭１１ａの杭頭に設けられた基礎フーチング１２上に配置された復元支承２０と、同基礎杭１１ａの内側の基礎杭１１ｂの杭頭に直接配置されたすべり支承３０が隣接している。そして、隅の基礎杭１１ａの杭頭に設けられた基礎フーチング１２と、その内側の基礎杭１１ｂの杭頭が固定されている土間コンクリート１５の間には、基礎フーチング１２から基礎杭１１ｂの杭頭に向って梁背が低くなる地中梁１３Ｂが設けられている。この地中梁１３Ｂは、図１５に示すように、径が１６ｍｍの鉄筋を１５０ｍｍ間隔でＸ方向及びＹ方向に配筋し、コンクリート（Ｆｃ＝３０Ｎ／ｍｍ２）を打設したものである。
【００７５】
なお、図１４に示すように、建物の短辺上の基礎杭１１ａの周辺は、土間コンクリート１５から一段低い免震ピット６１となっている。そして、地中梁１３Ｂは、図１５に示すように、土間コンクリート１５に連続するように設けられている。すなわち、地中梁１３Ｂは、基礎杭１１ｂから、土間コンクリート１５の上面と同じ面（グラウンドレベルＧＬからの深さ１３００ｍｍ）を基礎フーチング１２の端まで延びており、下面は基礎杭１１ｂと基礎フーチング１２のほぼ中央から基礎フーチング１２の下面へ向って３０°の角度で下方に傾斜している。
【００７６】
図１２や図１４に示す、建物の中央部に設けられた土間コンクリート１５は、グラウンドレベルＧＬからの深さが１５００ｍｍで、厚さが２００ｍｍである。一方、図１０に示す、建物の短辺上の復元支承２０の基礎（基礎フーチング１２）を接続する地中梁１３Ａや、図１４に示す、復元支承２０の基礎（基礎フーチング１２）とすべり支承３０の基礎（基礎杭１１ｂの杭頭）を接続する地中梁１３Ｂも、一部が、土間コンクリート１５と同様に、グラウンドレベルＧＬからの深さが１８００ｍｍで、厚さが２００ｍｍである。ただし、土間コンクリート１５は、径が１３ｍｍの鉄筋を２００ｍｍ間隔で配筋しているのに対し、地中梁１３Ａ、１３Ｂは、径が１６ｍｍの鉄筋を１５０ｍｍ間隔で配筋している。
【００７７】
このように、地中梁１３Ａ、１３Ｂは、厚さを土間コンクリート１５と同じ程度に薄いが、鉄筋の径を太くすると共に鉄筋の量を増やして強度が高められている。
【図面の簡単な説明】
【００７８】
【図１】本発明の実施の形態に係る建物の免震構造を説明する図であり、図１（Ａ）は、免震手段の配置状態や基礎構造を示す平面図、図１（Ｂ）は、基礎構造及び建物の１階部分の断面図である。
【図２】免震支承手段である復元支承手段の構造の一例を説明する図である。
【図３】免震支承手段である回転機構付きすべり支承手段の構造の一例を説明する図である。
【図４】本発明の免震構造を備えた建物の例を説明する図である。
【図５】本発明の免震構造を備えた建物の例を説明する図である。
【図６】本発明の免震構造を備えた建物の例を説明する図である。
【図７】地震時に作用するモーメントを説明するための図であり、図７（Ａ）は通常の免震支承手段（積層ゴム型）を使用した場合、図７（Ｂ）は回転機構付きすべり支承を使用した場合、図７（Ｃ）は両者のモーメント図である。
【図８】本発明の他の実施の形態に係る建物の免震構造を説明する図である。
【図９】本発明の他の実施の形態に係る建物の免震構造において、免震手段の配置状態や基礎構造の一部を示す平面図である。
【図１０】図９の建物の短辺を示す側面図である。
【図１１】図９の建物の短辺の杭頭の配筋図である。
【図１２】図９の建物中央部の短手方向の側面断面図である。
【図１３】図９の建物の長手方向中央部の杭頭の配筋図である。
【図１４】図９の建物の長手方向を示す側面図である。
【図１５】図１４の一部拡大図である。
【符号の説明】
【００７９】
１、１０１  建物                    ２  柱
３  台座                            ５  床
７ａ、７ｂ  梁                      ７Ａ、７Ｂ  逆梁
１０、１１０  基礎構造              １１ａ、１１ｂ  基礎杭
１２  基礎フーチング                １３Ａ、１３Ｂ  地中梁
１５  土間スラブ（土間コンクリート）
２０  復元支承                      ２１  上取り付け板
２２  下取り付け板                  ２４  弾性体
２５  剛性体                        ２７  積層ゴム体
３０  回転機構付きすべり支承        ３１  すべり受け材
３２  すべり板                      ３３  裏板
３４  アンカーボルト                ４１  スライダー
４２  凹部材                        ４３  凸部材
４４  すべり板                      ４５  充填材
６１  免震ピット                    ７０  外周壁
８０  床下空間
９０  コンクリート打設体            ９１  捨てコンクリート
９３  割栗石
１３１、１３２、１３３、１４１、１４２、１４３  鉄筋
【図１】
2006125183.tif 000003
【図２】
2006125183.tif 000004
【図３】
2006125183.tif 000005
【図４】
2006125183.tif 000006
【図５】
2006125183.tif 000007
【図６】
2006125183.tif 000008
【図７】
2006125183.tif 000009
【図８】
2006125183.tif 000010
【図９】
2006125183.tif 000011
【図１０】
2006125183.tif 000012
【図１１】
2006125183.tif 000013
【図１２】
2006125183.tif 000014
【図１３】
2006125183.tif 000015
【図１４】
2006125183.tif 000016
【図１５】
2006125183.tif 000017
【手続補正書】
【提出日】平成17年12月12日(2005.12.12)
【手続補正１】
【補正対象書類名】特許請求の範囲
【補正対象項目名】全文
【補正方法】変更
【補正の内容】
【特許請求の範囲】
【請求項１】
基礎上に分散配置された複数の免震支承手段を介して建物を支える免震構造であって、  前記複数の免震支承手段は、復元力を有する復元支承手段、及び、復元力を有しない回転機構付きすべり支承手段の二種類を含み、
隣り合う前記支承手段が復元支承手段である部位では、両支承手段の間の基礎の部分に地中梁が設けられており、
隣り合う前記支承手段がすべり支承手段である部位では、両支承手段の間の基礎の部分に地中梁が設けられておらず、
隣り合う前記すべり支承手段間の地中梁が設けられていない基礎の部分の表面が土間コンクリートであり、
前記地中梁の少なくとも一部分が、前記土間コンクリートと実質的に同じ厚さであるが、内部の鉄筋の量・構造が強化されていることを特徴とする建物の免震構造。
【請求項２】
隣り合う前記支承手段が復元支承手段とすべり支承手段である部位では、両支承手段の間の基礎の部分に、前記復元支承手段の下の基礎から前記すべり支承手段の下の基礎の部分に向って梁背（梁の高さ）が低くなる地中梁が設けられていることを特徴とする請求項１記載の建物の免震構造。
【請求項３】
前記建物が平面図で略長方形であり、
該建物の四隅、及び、短手方向の辺の中央部には、前記復元支承手段が配置されており、
該建物の長手方向の辺の中央部には、前記すべり支承手段が配置されていることを特徴とする請求項１又は２記載の建物の免震構造。
【請求項４】
前記建物の長辺の中央部においては、最下段の床に、地震時の水平力により建物に生じる曲げモーメントを受ける比較的高い剛性を有する梁が設けられていることを特徴とする請求項３記載の建物の免震構造。
【請求項５】
前記各免震支承手段がほぼグラウンドレベルに配置されていることを特徴とする請求項１〜４いずれか１項記載の建物の免震構造。
【請求項６】
前記建物の最下段の床を比較的高い高さとして、該最下段の床とグラウンドレベルとの間のスペースを利用可能とし、
該最下段の床構造のある一方向に延びる主な梁は、該床から下方に張り出したものであり、他の方向に延びる主な梁は、該床から上方に張り出したもの（逆梁）であることを特徴とする請求項１〜５いずれか１項記載の建物の免震構造。
【請求項７】
前記建物の最下段の床の高さがグラウンドレベルから１４００ｍｍ程度以下であることを特徴とする請求項１〜６いずれか１項記載の建物の免震構造。
【手続補正２】
【補正対象書類名】明細書
【補正対象項目名】００１１
【補正方法】変更
【補正の内容】
【００１１】
本発明に関連する建物の免震構造は、  基礎上に分散配置された複数の免震支承手段を介して建物を支える免震構造であって、  該建物の隅の部分に配置された免震支承手段が復元力を有する復元支承手段であり、  該建物の中央の部分に配置された免震支承手段が復元力を有しない回転機構付きすべり支承手段であり、  建物の四隅の部分の基礎を横方向負荷に耐える剛性を有するものとし、中央の部分の基礎は低剛性としたことを特徴とする。
【手続補正３】
【補正対象書類名】明細書
【補正対象項目名】００１４
【補正方法】変更
【補正の内容】
【００１４】
上記発明においては、  前記隅部の復元支承手段が、基礎杭と連結された基礎フーチング又は地中梁上に配置されており、  前記中央部のすべり支承手段が、基礎杭の杭頭に配置されており、  中央部分の大多数の基礎杭の間は低剛性基礎とされていることとできる。
【手続補正４】
【補正対象書類名】明細書
【補正対象項目名】００２５
【補正方法】変更
【補正の内容】
【００２５】
本発明に関連する他の建物の免震構造は、  基礎上に分散配置された複数の免震支承手段を介して建物を支える免震構造であって、  前記各免震支承手段がほぼグラウンドレベルに配置されており、  前記建物の最下段の床構造のある一方向に延びる主な梁は、該床から下方に張り出したものであり、他の方向に延びる主な梁は、該床から上方に張り出したもの（逆梁）であることを特徴とする。
【手続補正５】
【補正対象書類名】明細書
【補正対象項目名】００２７
【補正方法】変更
【補正の内容】
【００２７】
本発明に関連する他の建物の免震構造は、  基礎上に分散配置された複数の免震支承手段を介して建物を支える免震構造であって、  前記各免震支承手段がほぼグラウンドレベルに配置されており、  前記建物の最下段の床に床下空間を設け、前記建物の最下段の床の高さが１４００ｍｍ程度であり、  前記床下空間をメンテナンススペースとして該空間への出入り口を設けることともできる。
【手続補正６】
【補正対象書類名】明細書
【補正対象項目名】００２８
【補正方法】変更
【補正の内容】
【００２８】
本発明に関連する他の建物の免震構造は、  基礎上に分散配置された複数の免震支承手段を介して建物を支える免震構造であって、  前記各免震支承手段がほぼグラウンドレベルに配置されており、  前記建物の最下段の床の一段下に別の床面を形成し、該別の床面がグラウンドレベル上にあることともできる。
【手続補正７】
【補正対象書類名】明細書
【補正対象項目名】００３０
【補正方法】変更
【補正の内容】
【００３０】
本発明に関連する他の建物の免震構造は、  基礎上に分散配置された複数の免震支承手段を介して建物を支える免震構造であって、  前記複数の免震支承手段は、復元力を有する復元支承手段、及び、復元力を有しない回転機構付きすべり支承手段の二種類を含み、  隣り合う前記支承手段が復元支承手段である部位では、両支承手段の間の基礎の部分に地中梁が設けられており、  隣り合う前記支承手段がすべり支承手段である部位では、両支承手段の間の基礎の部分に地中梁が設けられておらず、  隣り合う前記支承手段が復元支承手段とすべり支承手段である部位では、両支承手段の間の基礎の部分に、前記復元支承手段の下の基礎から前記すべり支承手段の下の基礎の部分に向って梁背（梁の高さ）が低くなる地中梁が設けられていることを特徴とする。
【手続補正８】
【補正対象書類名】明細書
【補正対象項目名】００３４
【補正方法】変更
【補正の内容】
【００３４】
本発明においては、  隣り合う前記すべり支承手段間の地中梁が設けられていない基礎の部分の表面が土間コンクリートであり、  前記地中梁の少なくとも一部分が、前記土間コンクリートと実質的に同じ厚さであるが、内部の鉄筋の量・構造が強化されているものとする。